(57)【特許請求の範囲】
【請求項１】
基板上に、
赤色、緑色及び青色の各色に対応するサブ画素により夫々構成される複数の単位画素と、
該複数の単位画素が配列された画素領域に一の方向に沿って夫々配線され、前記サブ画素に前記各色別に夫々電気的に接続された複数のデータ線と、
前記画素領域の周辺に位置する周辺領域に設けられ、画像信号を供給する画像信号線と、
前記周辺領域に、前記複数のデータ線のうち前記赤色に対応するサブ画素に電気的に接続された赤色用データ線毎に設けられ、前記画像信号をサンプリングして前記赤色用データ線に夫々供給する複数の赤色用サンプリングスイッチと、
前記周辺領域に、前記複数のデータ線のうち前記緑色に対応するサブ画素に電気的に接続された緑色用データ線毎に設けられ、前記画像信号をサンプリングして前記緑色用データ線に夫々供給する複数の緑色用サンプリングスイッチと、
前記周辺領域に、前記複数のデータ線のうち前記青色に対応するサブ画素に電気的に接続された青色用データ線毎に設けられ、前記画像信号をサンプリングして前記青色用データ線に夫々供給する複数の青色用サンプリングスイッチと
を備え、
前記複数の緑色用サンプリングスイッチは、前記複数の赤色用サンプリングスイッチ及び前記複数の青色用サンプリングスイッチよりも前記画素領域に近い側に配置される
ことを特徴とする電気光学装置。
【請求項２】
前記複数の青色用サンプリングスイッチは、前記複数の赤色用サンプリングスイッチよりも前記画素領域から遠い側に配置されることを特徴とする請求項１に記載の電気光学装置。
【請求項３】
前記複数の赤色用サンプリングスイッチ、前記複数の緑色用サンプリングスイッチ及び前記複数の青色用サンプリングスイッチは、前記一の方向に交わる他の方向に夫々配列されると共に前記一の方向に互いにずれて配置されることを特徴とする請求項１又は２に記載の電気光学装置。
【請求項４】
請求項１から３のいずれか一項に記載の電気光学装置を備えることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置の一例としての液晶装置は、一般に、外部回路から画像信号線へ供給される画像信号に基づいて駆動される。画像信号は、基板上の画素領域（即ち、複数の画素が例えばマトリクス状に配列された領域）に配線された複数のデータ線に、画像信号線からサンプリング回路を介して供給される（例えば特許文献１及び２参照）。サンプリング回路は、画素領域の周辺に位置する周辺領域に設けられており、データ線毎に設けられた複数のサンプリングスイッチを含んでいる。サンプリングスイッチは、一般的に片チャネル型又は相補型の薄膜トランジスタ（ＴＦＴ：Thin Film Transistor）により構成される。薄膜トランジスタにより構成されたサンプリングスイッチのソースには画像信号線が電気的に接続され、ドレインにはデータ線が電気的に接続され、ゲートにはサンプリング信号を供給するサンプリング信号線が電気的に接続される。
【０００３】
例えば特許文献１では、複数のデータ線のうち同時に駆動されるｎ本のデータ線に接続されたｎ個のサンプリングスイッチのグループの境目を介して相隣接する二つのサンプリングスイッチについて、サンプリングスイッチを構成する薄膜トランジスタのゲートを挟んだソース配線とドレイン配線との並び方が互いに逆であるように配置することにより、複数のサンプリングスイッチ相互間の寄生容量に基づく画像不良を低減する技術が提案されている。例えば特許文献２では、隣接するサンプリングスイッチを互いに該サンプリングスイッチの長手方向に対して所定間隔を持って配置することにより、サンプリングスイッチ近傍における画像信号線とデータ線間の寄生容量を減少させる技術が提案されている。
【０００４】
一方、この種の電気光学装置の一例として、Ｒ（赤）、Ｇ（緑）及びＢ（青）のサブ画素を有するカラー表示型の液晶装置がある。このようなカラー表示型の液晶装置では、１つの単位画素（ドット）を３つのサブ画素に分けて、各サブ画素に対応する位置に、Ｒ、Ｇ及びＢの３色のカラーフィルタが配置され、このＲ、Ｇ及びＢの３色に対応する３つのサブ画素によって１つの単位画素を表示することで、カラー表示が可能となる。このようなカラー表示型の液晶装置では、Ｒ、Ｇ及びＢのサブ画素の各々に対応して配線されるデータ線毎にサンプリングスイッチが設けられるので、基板上の周辺領域においてデータ線の配列方向に沿ってサンプリングスイッチを一列に配列することが困難になってしまう。この解決策として、上述した例えば特許文献２の如く、複数のサンプリングスイッチは、データ線の配列方向に夫々配列されると共にデータ線が延びる方向に沿って互いにずれた複数列をなすように配置されることがある。
【０００５】
【特許文献１】特許第３８４１０７４号公報
【特許文献２】特開２００２−４９３３１号公報
【発明の開示】
【発明が解決しようとする課題】
【０００６】
ここで、上述したようなサンプリングスイッチを介してデータ線に画像信号が供給される場合、サンプリングスイッチがオフ状態（即ち、非導通状態）とされている期間中には、サンプリングスイッチの出力配線（及びこれに電気的に接続されたデータ線）はフローティング（即ち、電気的に浮遊した状態）となる。このため、サンプリングスイッチの出力配線には、他の配線との容量カップリングに起因して電位変動が生じてしまいやすい。よって、サンプリングスイッチの出力配線に電気的に接続されたデータ線に保持された画像信号の電位が変動してしまうことにより、画素領域における表示異常が生じてしまうおそれがあるという技術的問題点がある。
【０００７】
本発明は、例えば上述した問題点に鑑みなされたものであり、データ線に生じ得る電位変動による表示への悪影響が視認されにくく、高品質なカラー画像を表示可能な電気光学装置及び該電気光学装置を備えた電子機器を提供することを課題とする。
【課題を解決するための手段】
【０００８】
本発明の電気光学装置は上記課題を解決するために、基板上に、赤色、緑色及び青色の各色に対応するサブ画素により夫々構成される複数の単位画素と、該複数の単位画素が配列された画素領域に一の方向に沿って夫々配線され、前記サブ画素に前記各色別に夫々電気的に接続された複数のデータ線と、前記画素領域の周辺に位置する周辺領域に設けられ、画像信号を供給する画像信号線と、前記周辺領域に、前記複数のデータ線のうち前記赤色に対応するサブ画素に電気的に接続された赤色用データ線毎に設けられ、前記画像信号をサンプリングして前記赤色用データ線に夫々供給する複数の赤色用サンプリングスイッチと、前記周辺領域に、前記複数のデータ線のうち前記緑色に対応するサブ画素に電気的に接続された緑色用データ線毎に設けられ、前記画像信号をサンプリングして前記緑色用データ線に夫々供給する複数の緑色用サンプリングスイッチと、前記周辺領域に、前記複数のデータ線のうち前記青色に対応するサブ画素に電気的に接続された青色用データ線毎に設けられ、前記画像信号をサンプリングして前記青色用データ線に夫々供給する複数の青色用サンプリングスイッチとを備え、前記複数の緑色用サンプリングスイッチは、前記複数の赤色用サンプリングスイッチ及び前記複数の青色用サンプリングスイッチよりも前記画素領域に近い側に配置される。
【０００９】
本発明の電気光学装置によれば、赤色用サンプリングスイッチ、緑色用サンプリングスイッチ及び青色用サンプリングスイッチの各々は、例えば片チャネル型又は相補型の薄膜トランジスタにより構成される。赤色用サンプリングスイッチのソースには画像信号線が電気的に接続され、ドレインには赤色用データ線が電気的に接続され、ゲートには例えばサンプリング信号を供給するサンプリング信号線が電気的に接続される。緑色用サンプリングスイッチのソースには画像信号線が電気的に接続され、ドレインには緑色用データ線が電気的に接続され、ゲートには例えばサンプリング信号を供給するサンプリング信号線が電気的に接続される。青色用サンプリングスイッチのソースには画像信号線が電気的に接続され、ドレインには青色用データ線が電気的に接続され、ゲートには例えばサンプリング信号を供給するサンプリング信号線が電気的に接続される。
【００１０】
本発明の電気光学装置の動作時には、例えばデータ線駆動回路からサンプリング信号がサンプリング信号線を介して赤色用サンプリングスイッチ、緑色用サンプリングスイッチ及び青色用サンプリングスイッチの各々のゲートに供給される。画像信号線に供給される画像信号は、赤色用サンプリングスイッチ、緑色用サンプリングスイッチ及び青色用サンプリングスイッチによってサンプリング信号に応じて夫々サンプリングされて、複数のデータ線（即ち、赤色用データ線、緑色用データ線及び青色用データ線）に対して供給される。他方で、例えば走査線駆動回路から走査信号が走査線に対して順次に供給される。これらにより、例えば画素スイッチング素子、画素電極、蓄積容量等を備えたサブ画素では、例えば液晶駆動等の電気光学動作がサブ画素単位で行われる。この結果、画素領域におけるカラー表示が可能となる。
【００１１】
本発明では特に、複数の緑色用サンプリングスイッチは、複数の赤色用サンプリングスイッチ及び複数の青色用サンプリングスイッチよりも画素領域に近い側に配置される。
【００１２】
典型的には、複数の緑色用サンプリングスイッチは、他の方向（即ち、一の方向に交わる方向、例えば走査線が延びる方向或いはＸ方向）に配列され、複数の赤色用サンプリングスイッチ及び複数の青色用サンプリングスイッチは、該複数の緑色用サンプリングスイッチの配列よりも画素領域から遠い側に、該複数の緑色用サンプリングスイッチの配列に沿って夫々配列される。即ち、複数の緑色用サンプリングスイッチ、複数の赤色用サンプリングスイッチ及び複数の青色用サンプリングスイッチは、３つの列をなすように且つ緑色用サンプリングスイッチが赤色用サンプリングスイッチ及び青色用サンプリングスイッチよりも画素領域に近くなるように、各色別に他の方向に夫々配列されると共に一の方向にずれて配置される。
【００１３】
よって、緑色用サンプリングスイッチの出力配線（即ち、周辺領域に配置された緑色用サンプリングスイッチと画素領域に配線されたデータ線とを電気的に接続するために、周辺領域において緑色用サンプリングスイッチからデータ線まで引き回される配線）を、複数の赤色用サンプリングスイッチ及び複数の青色用サンプリングスイッチの各々の出力配線よりも短くすることができる。従って、緑色用サンプリングスイッチ、赤色用サンプリングスイッチ、青色用サンプリングスイッチの各々の出力配線のうち、緑色用サンプリングスイッチの出力配線を他の配線との容量カップリングに起因する電位変動が最も生じにくくすることができる。これにより、人間の視感度（或いは視感効率）の高い緑色に対応する緑色用データ線における電位変動を抑制することができる。ここで、赤色及び青色の各々に対応する赤色用データ線及び青色用データ線における電位変動が生じたとしても、赤色及び青色は緑色に比べて人間の視感度が低いので、表示への悪影響は殆ど或いは実践上全くない。この結果、高品質なカラー画像を表示することが可能となる。
【００１４】
以上説明したように、本発明の電気光学装置によれば、データ線に生じ得る電位変動による表示への悪影響が視認されにくく、高品質なカラー画像を表示可能である。
【００１５】
本発明の電気光学装置の一態様では、前記複数の青色用サンプリングスイッチは、前記複数の赤色用サンプリングスイッチよりも前記画素領域から遠い側に配置される。
【００１６】
この態様によれば、赤色用データ線における電位変動を、青色用データ線における電位変動よりも低減できる。ここで、青色は赤色に比べて人間の視感度が低いので、仮に複数の赤色用サンプリングスイッチが、複数の青色用サンプリングスイッチよりも画素領域から遠い側に配置された場合と比較して、データ線に生じ得る電位変動による表示への悪影響が視認されにくくすることができる。
【００１７】
本発明の電気光学装置の他の態様では、前記複数の赤色用サンプリングスイッチ、前記複数の緑色用サンプリングスイッチ及び前記複数の青色用サンプリングスイッチは、前記一の方向に交わる他の方向に夫々配列されると共に前記一の方向に互いにずれて配置される。
【００１８】
この態様によれば、複数の赤色用サンプリングスイッチ、複数の緑色用サンプリングスイッチ及び複数の青色用サンプリングスイッチは、それぞれ他の方向に沿う１列をなすように配列され、各列が一の方向に並んだ３列として配列される。よって、赤色用サンプリングスイッチ、緑色用サンプリングスイッチ及び青色用サンプリングスイッチを、サブ画素よりも大きなサイズを有する薄膜トランジスタにより夫々構成しつつ周辺領域に容易に配置することができる。
【００１９】
本発明の電子機器は上記課題を解決するために、上述した本発明の電気光学装置（但し、その各種態様も含む）を具備する。
【００２０】
本発明の電子機器によれば、上述した本発明の電気光学装置を具備してなるので、高品質なカラー表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００２１】
本発明の作用及び他の利得は次に説明する実施するための最良の形態から明らかにされる。
【発明を実施するための最良の形態】
【００２２】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
＜第１実施形態＞
第１実施形態に係る液晶装置について、図１から図５を参照して説明する。
【００２３】
先ず、本実施形態に係る液晶装置の全体構成について、図１及び図２を参照して説明する。ここに図１は、本実施形態に係る液晶装置の構成を示す平面図であり、図２は、図１のＨ−Ｈ’線断面図である。
【００２４】
図１及び図２において、本実施形態に係る液晶装置１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。
【００２５】
図１において、シール材５２が配置されたシール領域の内側に並行して、画像表示領域１０ａの額縁領域を規定する遮光性の額縁遮光膜５３が、対向基板２０側に設けられている。尚、本実施形態においては、画像表示領域１０ａの周辺を規定する周辺領域が存在する。言い換えれば、本実施形態では、ＴＦＴアレイ基板１０の中心から見て、額縁遮光膜５３より以遠が周辺領域として規定されている。
【００２６】
周辺領域のうち、シール材５２が配置されたシール領域の外側に位置する領域には、データ線駆動回路１０１及び外部回路接続続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００２７】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００２８】
図２において、ＴＦＴアレイ基板１０上には、画素スイッチング用のＴＦＴや走査線、データ線等の配線が作り込まれた積層構造が形成される。画像表示領域１０ａには、画素スイッチング用のＴＦＴや走査線、データ線等の配線の上層に画素電極９がマトリクス状に設けられている。画素電極９上には、配向膜が形成されている。他方、対向基板２０におけるＴＦＴアレイ基板１０との対向面上に、カラーフィルタ２６が各画素電極９に対向するように所定の厚みで形成されている。本実施形態では、１つの単位画素は、３つのサブ画素から構成されており、該サブ画素毎に上述した画素電極９、画素スイッチング用のＴＦＴ、カラーフィルタ２６等が設けられている。単位画素を構成する３つのサブ画素には、赤色（Ｒ）のカラーフィルタ、緑色（Ｇ）のカラーフィルタ及び青色（Ｂ）のカラーフィルタがそれぞれ設けられている。赤色のカラーフィルタは、赤色の光（即ち、例えば６２５〜７４０ｎｍの波長を有する光）のみを通過させるカラーフィルタであり、緑色のカラーフィルタは、緑色の光（即ち、例えば５００〜５６５ｎｍの波長を有する光）のみを通過させるカラーフィルタであり、青色のカラーフィルタは、青色の光（即ち、例えば４５０〜４８５ｎｍの波長を有する光）のみを通過させるカラーフィルタである。尚、カラーフィルタ２６は、ＴＦＴアレイ基板１０側に設けられてもよい。
【００２９】
対向基板２０におけるＴＦＴアレイ基板１０との対向面上における互いに隣り合うカラーフィルタ２６間には遮光膜２３が形成されている。遮光膜２３は、例えば遮光性金属膜等から形成されており、対向基板２０上の画像表示領域１０ａ内で、例えば格子状等にパターニングされている。そして、カラーフィルタ２６及び遮光膜２３上に形成された保護膜（図示省略）上に、ＩＴＯ（Indium Tin Oxide）等の透明材料からなる対向電極２１が複数の画素電極９と対向してベタ状に形成されている。対向電極２１上には配向膜が形成されている。また、液晶層５０は、例えば一種又は数種類のネマティック液晶を混合した液晶からなり、これら一対の配向膜間で、所定の配向状態をとる。
【００３０】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００３１】
次に、本実施形態に係る液晶装置の電気的な構成について、図３を参照して説明する。ここに図３は、本実施形態に係る液晶装置の電気的な構成を示すブロック図である。
【００３２】
図３に示すように、液晶装置１００は、そのＴＦＴアレイ基板１０の中央を占める画像表示領域１０ａに、縦横に配線されたデータ線６（即ち、データ線６Ｒ、６Ｇ及び６Ｂ）及び走査線１１を備え、それらの交点に対応してサブ画素７０が形成されている。各サブ画素７０は、液晶素子１１８の画素電極９、及び画素電極９をスイッチング制御するためのＴＦＴ３０、並びに蓄積容量１１９を備えている。尚、本実施形態では、走査線１１の総本数をｍ本（但し、ｍは２以上の自然数）とし、データ線６の総本数をｎ本（但し、ｎは２以上の自然数）として説明する。
【００３３】
本実施形態では、単位画素８０は、走査線１１が延びる方向（即ち、Ｘ方向）に互いに隣り合う３つのサブ画素７０（即ち、サブ画素７０Ｒ、７０Ｇ及び７０Ｂ）により構成されている。対向基板２０側に、サブ画素７０Ｒの画素電極９に対向するように赤色のカラーフィルタ２６が設けられ、サブ画素７０Ｇの画素電極９に対向するように緑色のカラーフィルタ２６が設けられ、サブ画素７０Ｂの画素電極９に対向するように青色のカラーフィルタ２６が設けられている。これにより単位画素８０毎のカラー表示が可能となっている。尚、本実施形態では、赤色、緑色及び青色のカラーフィルタ２６は、データ線６が延びる方向（即ち、Ｙ方向）に沿うストライプ状に設けられている。一のデータ線６には、赤色、緑色及び青色のいずれかの色のサブ画素７０が電気的に接続されている。即ち、データ線６Ｂには、赤色のサブ画素７０Ｒが電気的に接続され、データ線６Ｇには、緑色のサブ画素７０Ｇが電気的に接続され、データ線６Ｂには、青色のサブ画素７０Ｂが電気的に接続されている。
【００３４】
図３に示すように、液晶装置１００は、そのＴＦＴアレイ基板１０上の周辺領域に、走査線駆動回路１０４、データ線駆動回路１０１、サンプリング回路７及び画像信号線５００を備えている。
【００３５】
走査線駆動回路１０４には、外部回路から外部回路接続端子１０２（図１参照）を介してＹクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００３６】
データ線駆動回路１０１には、外部回路から外部回路接続端子１０２（図１参照）を介してＸクロック信号ＣＬＸ、反転Ｘクロック信号ＣＬＸｉｎｖ及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００３７】
サンプリング回路７は、データ線６毎に設けられた複数のサンプリングトランジスタ７１を備えている。より詳細には、サンプリング回路７は、赤色のサブ画素７０Ｒに電気的に接続されたデータ線６Ｒ毎に設けられた複数のサンプリングトランジスタ７１Ｒと、緑色のサブ画素７０Ｇに電気的に接続されたデータ線６Ｇ毎に設けられた複数のサンプリングトランジスタ７１Ｇと、青色のサブ画素７０Ｂに電気的に接続されたデータ線６Ｂ毎に設けられた複数のサンプリングトランジスタ７１Ｂとを備えている。サンプリングトランジスタ７１Ｒ、７１Ｇ及び７１Ｂは、片チャネル型のＴＦＴから夫々構成されている。尚、サンプリングトランジスタ７１Ｒは、本発明に係る「赤色用サンプリングスイッチ」の一例であり、サンプリングトランジスタ７１Ｇは、本発明に係る「緑色用サンプリングスイッチ」の一例であり、サンプリングトランジスタ７１Ｂは、本発明に係る「青色用サンプリングスイッチ」の一例である。サンプリングトランジスタ７１Ｒ、７１Ｇ及び７１ＢのＴＦＴアレイ基板１０上におけるレイアウトについては、後に詳細に説明する。
【００３８】
画像信号線５００は、本実施形態では１２本設けられている。１系統の画像信号が外部の画像処理回路によって１２相にシリアル−パラレル展開（或いは相展開）された画像信号ＶＩＤ１〜ＶＩＤ１２が、１２本の画像信号線５００を介して液晶装置１００に供給される。そして、ｎ本のデータ線６は、以下に説明するように、画像信号線５００の本数に対応する１２本のデータ線６を１群とするデータ線群毎に、順次駆動される。
【００３９】
データ線駆動回路１０１から、データ線群に対応するサンプリングトランジスタ７１毎にサンプリング信号Ｓｉ（ｉ＝１、２、・・・、ｎ）が順次供給され、サンプリング信号Ｓｉに応じて各サンプリングトランジスタ７１はオン状態（即ち、導通状態）及びオフ状態（即ち、非導通状態）が切り換えられる。１２本の画像信号線５００から画像信号ＶＩＤ１〜ＶＩＤ１２が、オン状態となったサンプリングトランジスタ７１を介して、データ線群に属するデータ線６に同時に、且つデータ線群毎に順次供給される。これにより、一のデータ線群に属するデータ線６は互いに同時に駆動されることとなる。従って、本実施形態では、１２本のデータ線６をデータ線群毎に駆動するため、駆動周波数が抑えられる。
【００４０】
図３中、一つのサブ画素７０の構成に着目すれば、ＴＦＴ３０のソース電極には、画像信号ＶＩＤｋ（但し、ｋ＝１、２、３、・・・、１２）が供給されるデータ線６が電気的に接続されている一方、ＴＦＴ３０のゲート電極には、走査信号Ｙｊ（但し、ｊ＝１、２、３、・・・、ｍ）が供給される走査線１１が電気的に接続されるとともに、ＴＦＴ３０のドレイン電極には、液晶素子１１８の画素電極９が電気的に接続されている。ここで、各サブ画素７０において、液晶素子１１８は、画素電極９と対向電極２１との間に液晶を挟持してなる。ここで、保持された画像信号がリークするのを防ぐために、蓄積容量１１９が、液晶素子１１８と並列に付加されている。
【００４１】
走査線駆動回路１０４から出力される走査信号Ｙ１、・・・、Ｙｍによって、各走査線１１は線順次に選択される。選択された走査線１１に対応するサブ画素７０において、ＴＦＴ３０に走査信号Ｙｊが供給されると、ＴＦＴ３０はオン状態となり、当該サブ画素７０は選択状態となる。液晶素子１１８の画素電極９には、ＴＦＴ３０を一定期間だけそのスイッチを閉じることにより、データ線６より画像信号ＶＩＤｋが所定のタイミングで供給される。これにより、液晶素子１１８には、画素電極９及び対向電極２１の各々の電位によって規定される印加電圧が印加される。液晶は、印加される電圧レベルにより分子集合の配向や秩序が変化することにより、光を変調し、階調表示を可能とする。
【００４２】
次に、本実施形態に係る液晶装置のサンプリングトランジスタのレイアウトについて、図４及び図５を参照して説明する。ここに図４は、本実施形態に係る液晶装置のサンプリングトランジスタのレイアウトを概略的に示す平面図であり、図５は、本実施形態に係る液晶装置のサンプリングトランジスタの配線のレイアウトを示す平面図である。
【００４３】
図４に示すように、複数のサンプリングトランジスタ７１（即ち、複数のサンプリングトランジスタ７１Ｒ、７１Ｇ及び７１Ｂ）は、単位画素８０がマトリクス状に配列された画像表示領域１０ａの周辺に位置する周辺領域に、対応するサブ画素７０の色別に、Ｘ方向に配列されると共にＹ方向に互いにずれて配置されている。即ち、緑色に対応する複数のサンプリングトランジスタ７１ＧがＸ方向に配列され、該配列よりも画像表示領域１０ａからＹ方向に沿って遠い側に、赤色に対応する複数のサンプリングトランジスタ７１ＲがＸ方向に沿って配列され、該配列よりも画像表示領域１０ａからＹ方向に沿って遠い側に、青色に対応する複数のサンプリングトランジスタ７１ＢがＸ方向に沿って配列されている。同一の単位画素８０を構成するサブ画素７０Ｇ、７０Ｒ及び７０Ｂに対応するサンプリングトランジスタ７１Ｇ、７１Ｒ及び７１Ｂは、Ｙ方向に沿って配列されている。
【００４４】
即ち、本実施形態では、複数のサンプリングトランジスタ７１は、Ｘ方向に沿って１列として配列されるのではなく、対応するサブ画素７０の色別にＸ方向に沿った３列として配列されている。このため、サブ画素７０の配列ピッチが小さい場合でも、サンプリングトランジスタ７１のサイズを十分に確保しつつ複数のサンプリングトランジスタ７１を周辺領域に容易に配置することができる。
【００４５】
図５において、サンプリングトランジスタ７１Ｇのソース配線７１Ｇｓは、サンプリングトランジスタ７１Ｇを構成する半導体層におけるソース領域にコンタクトホール１８２ｇを介して電気的に接続されている。ソース配線７１Ｇｓは、そのサンプリングトランジスタ７１Ｇに接続される側と反対の他端側において、対応する画像信号線５００と例えばコンタクトホールを介して互いに電気的に接続されている（図３参照）。サンプリングトランジスタ７１Ｇのドレイン配線７１Ｇｄは、サンプリングトランジスタ７１Ｇを構成する半導体層におけるドレイン領域にコンタクトホール１８３ｇを介して電気的に接続されている。ドレイン配線７１ｄは、そのサンプリングトランジスタ７１Ｇに接続される側と反対の他端側において、対応するデータ線６Ｇとコンタクトホール１８１ｇを介して互いに電気的に接続されている。
【００４６】
サンプリングトランジスタ７１Ｒのソース配線７１Ｒｓは、サンプリングトランジスタ７１Ｒを構成する半導体層におけるソース領域にコンタクトホール１８２ｒを介して電気的に接続されている。ソース配線７１Ｒｓは、そのサンプリングトランジスタ７１Ｒに接続される側と反対の他端側において、対応する画像信号線５００と例えばコンタクトホールを介して互いに電気的に接続されている（図３参照）。サンプリングトランジスタ７１Ｒのドレイン配線７１Ｒｄは、サンプリングトランジスタ７１Ｒを構成する半導体層におけるドレイン領域にコンタクトホール１８３ｒを介して電気的に接続されている。ドレイン配線７１ｒは、サンプリングトランジスタ７１Ｒに接続される側と反対の他端側において、対応するデータ線６Ｒとコンタクトホール１８１ｒを介して互いに電気的に接続されている。
【００４７】
サンプリングトランジスタ７１Ｂのソース配線７１Ｂｓは、サンプリングトランジスタ７１Ｂを構成する半導体層におけるソース領域にコンタクトホール１８２ｂを介して電気的に接続されている。ソース配線７１Ｂｓは、そのサンプリングトランジスタ７１Ｂに接続される側と反対の他端側において、対応する画像信号線５００と例えばコンタクトホールを介して互いに電気的に接続されている（図３参照）。サンプリングトランジスタ７１Ｂのドレイン配線７１Ｂｄは、サンプリングトランジスタ７１Ｂを構成する半導体層におけるドレイン領域にコンタクトホール１８３ｂを介して電気的に接続されている。ドレイン配線７１ｂは、サンプリングトランジスタ７１Ｂに接続される側と反対の他端側において、対応するデータ線６Ｂとコンタクトホール１８１ｂを介して互いに電気的に接続されている。
【００４８】
図５において、サンプリング信号線７５は、同一の単位画素８０を構成するサブ画素７０Ｇ、７０Ｒ及び７０Ｂに対応するサンプリングトランジスタ７１Ｇ、７１Ｒ及び７１Ｂの各々のゲート電極を含むように形成されている。サンプリング信号線７５は、該ゲート電極を含む側と反対の他端側においてデータ線駆動回路１０１に電気的に接続されている（図３参照）。液晶装置１００の動作時には、サンプリング信号線７５にはデータ線駆動回路１０１から所定のタイミングでサンプリング信号Ｓｉが供給される。
【００４９】
図４及び図５において、本実施形態では特に、複数のサンプリングトランジスタ７１Ｇは、複数のサンプリングトランジスタ７１Ｒ及び複数のサンプリングトランジスタ７１Ｂよりも画像表示領域１０ａに近い側に配置されている。
【００５０】
よって、サンプリングトランジスタ７１Ｇのドレイン配線７１Ｇｄを、サンプリングトランジスタ７１Ｒ及び７１Ｂの各々のドレイン配線７１Ｒｄ及び７１Ｂｄよりも短くすることができる。従って、サンプリングトランジスタ７１Ｇ、７１Ｒ及び７１Ｂの各々のドレイン配線７１Ｇｄ、７１Ｒｄ及び７１Ｂｄのうち、サンプリングトランジスタ７１Ｇのドレイン配線７１Ｇｄを他の配線との容量カップリングに起因する電位変動が最も生じにくくすることができる。これにより、赤色、青色及び緑色のうち人間の視感度が最も高い（即ち、人間の目が最も感知しやすい）緑色に対応するサブ画素７０Ｇに電気的に接続されたデータ線６Ｇにおける電位変動を抑制することができる。ここで、赤色及び青色の各々に対応するサブ画素７０Ｒ及び７０Ｂに電気的に接続されたデータ線６Ｒ及び６Ｂにおける電位変動が生じたとしても、赤色及び青色は緑色に比べて人間の視感度が低いので、表示への悪影響は殆ど或いは実践上全くない。この結果、高品質なカラー画像を表示することが可能となる。
【００５１】
更に本実施形態では特に、複数のサンプリングトランジスタ７１Ｂは、複数のトランジスタ７１Ｒよりも画像表示領域１０ａから遠い側に配置されている。
【００５２】
よって、赤色に対応するサブ画素７０Ｒに電気的に接続されたデータ線６Ｒにおける電位変動を、青色に対応するサブ画素７０Ｂに電気的に接続されたデータ線６Ｂにおける電位変動よりも低減できる。ここで、青色は赤色に比べて人間の視感度が低いので、仮に複数のサンプリングトランジスタ７１Ｒが、複数のトランジスタ７１Ｂよりも画像表示領域１０ａから遠い側に配置された場合と比較して、データ線６に生じ得る電位変動による表示への悪影響を視認されにくくすることができる。
【００５３】
以上説明したように、本実施形態に係る液晶装置によれば、データ線６に生じ得る電位変動による表示への悪影響が視認されにくく、高品質な画像を表示可能である。
＜電子機器＞
次に、上述した電気光学装置である液晶装置を各種の電子機器に適用する場合について説明する。
【００５４】
先ず、この液晶装置をライトバルブとして用いたプロジェクタについて、図６を参照して説明する。ここに図６は、プロジェクタの構成例を示す平面図である。
【００５５】
図６に示すように、プロジェクタ１１００内部には、ハロゲンランプ等の白色光源からなるランプユニット１１０２が設けられている。このランプユニット１１０２から射出された投射光は、ライトガイド１１０４内に配置された３枚のミラー１１０６によって液晶パネル１１１０に入射される。
【００５６】
液晶パネル１１１０の構成は、上述した液晶装置と同等であり、画像信号処理回路から供給されるＲＧＢの画像信号で駆動されるものである。そして、この液晶パネル１１１０によって光が変調されることにより表示されるカラー画像が、投射レンズ１１１４を介して、スクリーン等に投写されることとなる。
【００５７】
次に、上述した液晶装置を、携帯電話に適用した例について、図７を参照して説明する。ここに図７は、携帯電話の構成を示す斜視図である。
【００５８】
図７において、携帯電話１３００は、複数の操作ボタン１３０２とともに、上述した液晶装置を適用した表示部１００５を備えるものである。
【００５９】
尚、図６及び図７を参照して説明した電子機器の他にも、モバイル型のパーソナルコンピュータや、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００６０】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００６１】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【図面の簡単な説明】
【００６２】
【図１】第１実施形態に係る液晶装置の構成を示す平面図である。
【図２】図１のＨ−Ｈ’線断面図である。
【図３】第１実施形態に係る液晶装置の電気的な構成を示すブロック図である。
【図４】第１実施形態に係る液晶装置のサンプリングトランジスタのレイアウトを概略的に示す平面図である。
【図５】第１実施形態に係る液晶装置のサンプリングトランジスタの配線のレイアウトを示す平面図である。
【図６】電気光学装置を適用した電子機器の一例たるプロジェクタの構成を示す平面図である。
【図７】電気光学装置を適用した電子機器の一例たる携帯電話の構成を示す斜視図である。
【符号の説明】
【００６３】
６、６Ｒ、６Ｇ、６Ｂ…データ線、７…サンプリング回路、９…画素電極、１０…ＴＦＴアレイ基板、１０ａ…画像表示領域、１１…走査線、２０…対向基板、７０、７０Ｒ、７０Ｇ、７０Ｂ…サブ画素、７１、７１Ｒ、７１Ｇ、７１Ｂ…サンプリングトランジスタ、１０１…データ線駆動回路、１０４…走査線駆動回路
【図１】
0005024110.tif 000002
【図２】
0005024110.tif 000003
【図３】
0005024110.tif 000004
【図４】
0005024110.tif 000005
【図５】
0005024110.tif 000006
【図６】
0005024110.tif 000007
【図７】
0005024110.tif 000008